(57)【要約】【課題】複数レンズを一つのレンズホルダで保持する場合のトラックに対するレンズの中心位置ずれの悪影響を受け難い光学ヘッド及び光ディスクドライブを提供すること。【解決手段】所定位置に装填された光ディスクの所定の半径方向に沿って移動可能に構成された光学ヘッドは、前記光ディスクに対して第１の波長帯に含まれる第１のレーザ光を集光する第１のレンズと、前記光ディスクに対して前記第１の波長帯より短い第２の波長帯に含まれる第２のレーザ光及び前記第２の波長帯より短い第３の波長帯に含まれる第３のレーザ光のうち入射されたレーザ光を集光する第２のレンズと、前記光ディスクのトラック方向に沿って前記第１及び第２のレンズを並べて保持するレンズ保持手段とを備え、前記レンズ保持手段は、前記所定の半径方向に沿った移動軸上に、前記第１のレンズを保持する。【選択図】      図５
2009289376.tif 000002
【特許請求の範囲】
【請求項１】
所定位置に装填された光ディスクの所定の半径方向に沿って移動可能に構成された光学ヘッドであって、
第１の波長帯に含まれる第１のレーザ光を照射する第１の照射手段と、
前記第１の波長帯より短い第２の波長帯に含まれる第２のレーザ光を照射する第２の照射手段と、
前記第２の波長帯より短い第３の波長帯に含まれる第３のレーザ光を照射する第３の照射手段と、
前記所定位置に装填された光ディスクに対して、前記第１のレーザ光を集光する第１のレンズと、
前記所定位置に装填された光ディスクに対して、前記第２のレーザ光及び前記第３のレーザ光のうち入射されたレーザ光を集光する第２のレンズと、
前記所定位置に装填された光ディスクのトラック方向に沿って前記第１及び第２のレンズを並べて保持するレンズ保持手段と、
前記光ディスクからの前記第１のレーザ光の反射光を検出する第１の検出手段と、
前記光ディスクからの前記第２又は第３のレーザ光の反射光を検出する第２の検出手段と、
を備え、
前記レンズ保持手段は、前記所定の半径方向に沿った移動軸上に、前記第１のレンズを保持することを特徴とする光学ヘッド。
【請求項２】
前記第１のレンズは、ＣＤ用の前記第１のレーザ光を集光し、
前記第２のレンズは、ＤＶＤ用の前記第２のレーザ光、及びＨＤ ＤＶＤ又はブルーレイディスク用の前記第３のレーザ光のうちの入射されたレーザ光を集光する、
ことを特徴とする光学ヘッド。
【請求項３】
所定位置に装填された光ディスクの所定の半径方向に沿って移動可能に構成された光学ヘッドを備えた光ディスクドライブであって、
第１の波長帯に含まれる第１のレーザ光を照射する第１の照射手段と、
前記第１の波長帯より短い第２の波長帯に含まれる第２のレーザ光を照射する第２の照射手段と、
前記第２の波長帯より短い第３の波長帯に含まれる第３のレーザ光を照射する第３の照射手段と、
前記所定位置に装填された光ディスクに対して、前記第１のレーザ光を集光する第１のレンズと、
前記所定位置に装填された光ディスクに対して、前記第２のレーザ光及び前記第３のレーザ光のうちの入射されたレーザ光を集光する第２のレンズと、
前記所定位置に装填された光ディスクのトラック方向に沿って前記第１及び第２のレンズを並べて保持するレンズ保持手段と、
前記光ディスクからの前記第１のレーザ光の反射光を検出する第１の検出手段と、
前記光ディスクからの前記第２又は第３のレーザ光の反射光を検出する第２の検出手段と、
前記第１又は第２の検出手段により検出された反射光に基づきトラッキングを制御する制御手段と、
前記第１又は第２の検出手段により検出された反射光に基づき前記光ディスクに記録されたデータを読み取る読取手段と、
を備え、
前記レンズ保持手段は、前記所定の半径方向に沿った移動軸上に、前記第１のレンズを保持することを特徴とする光ディスクドライブ。
【請求項４】
前記制御手段は、前記第１のレーザ光の反射光成分に基づき、ＤＰＰ（Differential Push Pull）法によりトラッキングを制御することを特徴とする請求項３に記載の光ディスクドライブ。
【請求項５】
前記第２のレンズを経た前記第２又は第３のレーザ光の反射光を回折し、回折した反射光を前記第２の検出手段へ導くための偏光ホログラム光学素子を備えたことを特徴とする請求項４に記載の光ディスクドライブ。
【発明の詳細な説明】
【技術分野】
【０００１】
本発明は、異なる波長のレーザ光により記録密度等の特性の異なる光ディスクを処理するため２レンズを備えた光学ヘッドに関する。また、このような光学ヘッドにより構成される光ディスクドライブに関する。
【背景技術】
【０００２】
現在、様々な規格の光ディスクが普及している。７８０ｎｍ程度のレーザ光により処理されるＣＤ（Compact Disc）、６５０ｎｍ程度のレーザ光により処理されるＤＶＤ（Digital Versatile Disc）、及び４０５ｎｍ程度のレーザ光により処理されるＨＤ ＤＶＤ(High Definition DVD)／ＢＤ（ブルーレイディスク）（登録商標）が知られている。
【０００３】
これら様々な規格の光ディスクを処理するため、例えば、２レンズを搭載した光ディスクドライブが提案されている（特許文献１参照）。この提案されている光ディスクドライブは、ＣＤ用のレーザ光を照射するための半導体レーザ、ＤＶＤ用のレーザ光を照射するための半導体レーザ、及びＨＤ ＤＶＤ／ＢＤ用のレーザ光を照射するための半導体レーザを備え、さらに、ＣＤ用のレーザ光をＣＤに集光するため又はＨＤ ＤＶＤ／ＢＤ用のレーザ光をＨＤ ＤＶＤに集光するためのレンズ、及びＨＤ ＤＶＤ／ＢＤ用のレーザ光をＢＤに集光するためのレンズを備えている。
【特許文献１】特開２００７−２５７７７７
【発明の開示】
【発明が解決しようとする課題】
【０００４】
しかしながら、上記したような光ディスクドライブの光学ヘッドは、２レンズを搭載したがために、レンズ位置ずれの影響を受けてしまう。一般的な１レンズを搭載した光学ヘッドの場合、つまり光学ヘッドのレンズホルダが１レンズを保持する場合について説明する。光学ヘッド（レンズホルダ）は、所定位置に装填された光ディスクの所定の半径方向に対して移動可能に構成され、レンズホルダは、移動軸の中心とレンズの中心とが一致するようにレンズを保持する。これにより、レンズホルダにより保持されたレンズの中心は、レンズホルダの移動軸上に位置する。言い換えれば、レンズの中心は、トラックの法線上に位置する。
【０００５】
ところが、光学ヘッドが２レンズを搭載する場合、つまり一つのレンズホルダが２レンズを保持する場合、一方のレンズの中心を上記したレンズホルダの移動軸上に位置あわせしてしまうと、他方のレンズの中心が上記したレンズホルダの移動軸上から位置ずれしてしまう。つまり、他方のレンズの中心がトラックの法線上からずれてしまう。例えば、トラッキング方式として実績のあるＤＰＰ（Differential Push Pull）法をＣＤ処理に適用したいが、ＤＰＰ法は上記したレンズ位置ずれの影響を受け易い。
【０００６】
本発明の目的は、複数レンズを一つのレンズホルダで保持する場合のレンズ位置ずれの影響を受け難い光学ヘッド及び光ディスクドライブを提供することにある。
【課題を解決するための手段】
【０００７】
この発明の一実施形態に係る光学ヘッドは、所定位置に装填された光ディスクの所定の半径方向に沿って移動可能に構成された光学ヘッドであって、第１の波長帯（７８０ｎｍ程度）に含まれる第１のレーザ光を照射する第１の照射手段と、前記第１の波長帯より短い第２の波長帯（６５０ｎｍ程度）に含まれる第２のレーザ光を照射する第２の照射手段と、前記第２の波長帯より短い第３の波長帯（４０５ｎｍ程度）に含まれる第３のレーザ光を照射する第３の照射手段と、前記所定位置に装填された光ディスクに対して、前記第１のレーザ光を集光する第１のレンズと、前記所定位置に装填された光ディスクに対して、前記第２のレーザ光及び前記第３のレーザ光のうち入射されたレーザ光を集光する第２のレンズと、前記所定位置に装填された光ディスクのトラック方向に沿って前記第１及び第２のレンズを並べて保持するレンズ保持手段と、前記光ディスクからの前記第１のレーザ光の反射光を検出する第１の検出手段と、前記光ディスクからの前記第２又は第３のレーザ光の反射光を検出する第２の検出手段とを備え、前記レンズ保持手段は、前記所定の半径方向に沿った移動軸上に、前記第１のレンズを保持する。
【０００８】
この発明の一実施形態に係る光ディスクドライブは、所定位置に装填された光ディスクの所定の半径方向に沿って移動可能に構成された光学ヘッドを備えた光ディスクドライブであって、第１の波長帯に含まれる第１のレーザ光を照射する第１の照射手段と、前記第１の波長帯より短い第２の波長帯に含まれる第２のレーザ光を照射する第２の照射手段と、前記第２の波長帯より短い第３の波長帯に含まれる第３のレーザ光を照射する第３の照射手段と、前記所定位置に装填された光ディスクに対して、前記第１のレーザ光を集光する第１のレンズと、前記所定位置に装填された光ディスクに対して、前記第２のレーザ光及び前記第３のレーザ光のうちの入射されたレーザ光を集光する第２のレンズと、前記所定位置に装填された光ディスクのトラック方向に沿って前記第１及び第２のレンズを並べて保持するレンズ保持手段と、前記光ディスクからの前記第１のレーザ光の反射光を検出する第１の検出手段と、前記光ディスクからの前記第２又は第３のレーザ光の反射光を検出する第２の検出手段と、前記第１又は第２の検出手段により検出された反射光に基づきトラッキングを制御する制御手段と、前記第１又は第２の検出手段により検出された反射光に基づき前記光ディスクに記録されたデータを読み取る読取手段とを備え、前記レンズ保持手段は、前記所定の半径方向に沿った移動軸上に、前記第１のレンズを保持する。
【発明の効果】
【０００９】
本発明によれば、複数レンズを一つのレンズホルダで保持する場合のレンズ位置ずれの影響を受け難い光学ヘッド及び光ディスクドライブを提供できる。
【発明を実施するための最良の形態】
【００１０】
以下、図面を参照し、本発明の実施形態について説明する。
【００１１】
図１は、本発明の一実施形態に係る光ディスクドライブの概略構成を示す図である。光ディスクドライブは、光学ヘッド１、プリアンプ２、信号処理回路３、制御部４、ＬＤ駆動回路５、記録波形発生回路６、メモリ７等を備えている。
【００１２】
光ディスクドライブは、光学ヘッド１から出射されるレーザー光を光ディスクの情報記録層に集光し、情報の記録再生を行う。光ディスクから反射した光は、再び、光学ヘッド１の光学系を通過し光検出器（後述するＤＶＤ／ＨＤ ＤＶＤ／ＢＤ共通光検出部２５又はＣＤ用ホログラムユニット１３内にあるＣＤ用光検出部）で電気信号として検出される。検出された電気信号は、プリアンプ２で増幅され、サーボ回路、ＲＦ信号処理回路、アドレス信号処理回路等を含む信号処理回路３に出力される。
【００１３】
サーボ回路は、光学ヘッド１により検出された電気信号に基づき、フォーカス、トラッキング、チルト等のサーボ信号を生成し、各信号をそれぞれ、光学ヘッド１のフォーカス、トラッキング、チルトアクチュエータに出力する。つまり、信号処理回路３（サーボ回路）はトラッキング制御手段として機能する。
【００１４】
ＲＦ信号処理回路では、光学ヘッド１により検出された電気信号のうち、主に和信号を処理することにより、記録されたユーザー情報等の情報を再生する。この際の復調方法としては、スライス方式やＰＲＭＬ方式がある。つまり、信号処理回路３（ＲＦ信号処理回路）は、光ディスクＭに記録されたデータを読み取る読取手段として機能する。
【００１５】
アドレス信号処理回路では、検出された信号を処理することにより、光ディスク上の記録位置を示す、物理アドレス情報を読み出し、制御部４に出力する。制御部４はこのアドレス情報を元に、所望の位置のユーザー情報等の情報を読み出したり、所望の位置にユーザー情報等の情報を記録したりする。この際、ユーザー情報は、記録波形発生回路６を構成する記録信号処理回路で光ディスク記録に適したデータに変調される。このとき、データの変調は例えば(１、１０)ＲＬＬ（Run length limited）変調、(１、７)ＲＬＬ変調といった変調方式が用いられる。(１、１０)ＲＬＬ変調では、データの変調に用いられた最も短い符号は２Ｔ、最も長い符号は１１Ｔとなる。さらに、記録波形発生回路６は、入力された符号を元にレーザー発光波形を制御するための信号を生成し、ＬＤ駆動回路５はこのレーザ発行波形制御信号に基づきＬＤ（レーザドライバ）を駆動し、これにより光ディスクに情報が記録される。
【００１６】
図２は、光学ヘッド１の概略構成を示す図である。光学ヘッド１は、ＨＤ ＤＶＤ／ＢＤ用光源１１、ＤＶＤ用光源１２、ＣＤ用ホログラムユニット１３、ダイクロイックプリズム１４、偏光ビームスプリッタ（ＰＢＳ）１５、ダイクロイックミラー１６、コリメートレンズ（ＣＬ：Collimating Lens）１７、λ／４板１８、ＣＤ用立ち上げプリズム１９、ＨＤ ＤＶＤ／ＢＤ／ＤＶＤ用立ち上げミラー２０、偏光ホログラム光学素子（ＨＯＥ：polarizing Holographic Optical Element）が形成された回折素子２１、ＣＤ用対物レンズ２２、ＨＤ ＤＶＤ／ＢＤ／ＤＶＤ用対物レンズ２３、アクチュエータ２４、ＤＶＤ／ＨＤ ＤＶＤ／ＢＤ共通光検出部２５、及びＣＤ用の倍率を変換する倍率変換レンズ２６を備えている。
【００１７】
ＨＤ ＤＶＤ／ＢＤ用光源１１は、半導体レーザ素子であるレーザダイオードなどを含み、例えばＨＤ ＤＶＤ／ＢＤに対応する約４０５ｎｍの波長を有するレーザ光が射出可能である。同様に、ＤＶＤ用光源１２は、半導体レーザ素子であるレーザダイオードなどを含み、例えばＤＶＤに対応する約６５０ｎｍの波長を有するレーザ光が射出可能である。
【００１８】
ＣＤ用ホログラムユニット１３は、ＣＤに対応する約７８０ｎｍの波長を有するレーザ光が射出可能な半導体レーザ、各種サーボ信号を得るためのフォトダイオード、サーボ信号を得るために光を分割するためのグレーティングなどが集積化されたユニットであり、光ディスク上に光を集光するだけで、信号がえられるものである。
【００１９】
ＨＤ ＤＶＤ／ＢＤ用光源１１から射出されたレーザ光は、ダイクロイックプリズム１４、偏光ビームスプリッタ１５を透過し、ダイクロイックミラー１６で反射され、コリメートレンズ１７によりコリメート化（平行光化）される。その後、レーザ光は、λ／４板（偏光制御板）１８を透過し、円偏光に変換され、ＣＤ用立ち上げプリズム１９を透過し、ＨＤ ＤＶＤ／ＢＤ／ＤＶＤ用立ち上げミラー２０により反射され、光分割素子すなわちホログラムプレート（偏光ホログラム光学素子（ＨＯＥ））が形成された回折素子２１を通過して、ＨＤ ＤＶＤ／ＢＤ／ＤＶＤ用対物レンズ（ＯＬ）２３に導かれる。なお、ＨＤ ＤＶＤ／ＢＤ／ＤＶＤ用対物レンズ２３、回折素子２１、及びＣＤ用対物レンズ２２は、レンズホルダ２７により一体的に保持される。
【００２０】
ＨＤ ＤＶＤ／ＢＤ／ＤＶＤ用対物レンズ２３に導かれたレーザ光は、ＨＤ ＤＶＤ／ＢＤ／ＤＶＤ用対物レンズ２３により所定の収束性が与えられて、光ディスクＭの任意記録層のいずれかに集光される。なお、光ディスクＭのそれぞれの記録層には例えば０．３４μｍあるいは０．４μｍのピッチで案内溝すなわちトラックもしくは記録マーク（記録済みデータ）列が、同心円上またはスパイラル上に形成されている。また、ＨＤ ＤＶＤ／ＢＤ／ＤＶＤ用対物レンズ２３は、例えばプラスチック製で、その開口数はＨＤ ＤＶＤの場合は０．６５、ＢＤの場合は０．８５である。
【００２１】
ＨＤ ＤＶＤ／ＢＤ／ＤＶＤ用対物レンズ２３により所定の収束性が与えられたレーザ光は、光ディスクのカバー層を透過し、いずれかの記録層（あるいはその近傍）に集光される。これにより、ＨＤ ＤＶＤ／ＢＤ用光源１１からのレーザ光は、ＨＤ ＤＶＤ／ＢＤ／ＤＶＤ用対物レンズ２３の焦点位置で最小光スポットを呈する。
【００２２】
ＨＤ ＤＶＤ／ＢＤ／ＤＶＤ用対物レンズ２３は、例えば駆動コイルとマグネットを含む対物レンズ駆動機構により、光ディスクＭのそれぞれの記録層の厚さ方向であるフォーカス方向の所定の位置に位置される。なお、ＨＤ ＤＶＤ／ＢＤ／ＤＶＤ用対物レンズ２３をトラック方向に移動させて、トラック（記録マーク列）の中心にレーザ光の最小光スポットを一致させるための対物レンズ２３の位置制御がトラッキング制御と呼ばれる。また、ＨＤ ＤＶＤ／ＢＤ／ＤＶＤ用対物レンズ２３をフォーカス方向に移動させて、記録層とＨＤ ＤＶＤ／ＢＤ／ＤＶＤ用対物レンズ２３との間の距離を、ＨＤ ＤＶＤ／ＢＤ／ＤＶＤ用対物レンズ２３の焦点距離に一致させるためのＨＤ ＤＶＤ／ＢＤ／ＤＶＤ用対物レンズ２３の位置制御が、フォーカス制御と呼ばれる。
【００２３】
光ディスクＭの任意の記録層で反射されたレーザ光は、ＨＤ ＤＶＤ／ＢＤ／ＤＶＤ用対物レンズ２３により捕捉されたのち概ね平行な断面ビーム形状に変換され、回折素子２１に戻される。
【００２４】
回折素子２１は、ある円偏光成分の光のみに作用し、複数光束に分割、回折する。つまり、往路の光ビームはほとんど回折されずに通過し、逆に復路の光ビームは回折される。この回折素子２１は、例えば図３に示すような所定の領域に分割されており、それぞれの領域は異なる回折ピッチ、回折格子の方向を持つ。
【００２５】
この回折素子２１により回折された各々の光束はＨＤ ＤＶＤ／ＢＤ／ＤＶＤ用立ち上げミラー２０を反射後、λ／４板１８により入射光とは９０度異なる直線偏光に変換され、結果として偏光ビームスプリッタ１５により反射される。
【００２６】
これらの光束は、コリメートレンズ１７により与えられる収束性によりＤＶＤ／ＨＤ ＤＶＤ／ＢＤ共通光検出部２５の受光面に結像される。このとき、回折素子２１により分割された反射光束は、ＤＶＤ／ＨＤ ＤＶＤ／ＢＤ共通光検出部２５の受光面に予め設定された検出領域（受光領域）の配列及び形状に合わせて集光する。例えば図４に示すような検出領域が配列されている場合、回折素子２１の領域ＦＡ、ＦＢを通り回折された光束はそれぞれ領域Ｏ１、Ｏ２の境界部、領域Ｐ１、Ｐ２の境界部に集光し、いわゆるナイフエッジ方式によりフォーカスエラー信号が取得される。取得されたフォーカスエラー信号は信号処理回路３のサーボ回路へ入力される。また、領域ＭＡ、ＭＢ、ＭＣ、ＭＤを透過、回折された光束はそれぞれＤＶＤ／ＨＤ ＤＶＤ／ＢＤ共通光検出部２５上の領域Ａ、Ｂ、Ｃ、Ｄに集光し、ＲＯＭディスクであればＤＰＤ（Differential Phase Detection）信号、Ｒ、ＲＷディスクであればＰＰ（Push Pull）信号を取得する。取得された信号は信号処理回路３のサーボ回路へ入力される。また、領域ＳＡ、ＳＢを透過、回折された光束はそれぞれＤＶＤ／ＨＤ ＤＶＤ／ＢＤ共通光検出部２５上の領域Ｅ、Ｆに集光し、ＨＤ ＤＶＤ／ＢＤ／ＤＶＤ用対物レンズ２３のレンズシフトによるＰＰ信号のオフセットを補償するための信号を得る。また、信号処理回路３のＲＦ信号処理回路が、全部の信号を加算することによりＲＦ信号を得る。
【００２７】
以上が、ＨＤ ＤＶＤ／ＢＤ系の信号処理である。
【００２８】
同様に、ＤＶＤ用光源１２から射出されたレーザ光はダイクロイックプリズム１４により反射され、ほぼ上記したＨＤ ＤＶＤ／ＢＤ系の光路を通り、ＨＤ ＤＶＤ／ＢＤ／ＤＶＤ用対物レンズ２３により光ディスクＭの記録面上に集光、反射し、回折素子２１により回折される。回折された光束はＤＶＤ／ＨＤ ＤＶＤ／ＢＤ共通光検出部２５により受光されるが、ＤＶＤ用光源１２から射出されたレーザ光の波長はＨＤ ＤＶＤ／ＢＤ用光源１１から射出されたレーザ光の波長よりも長いため、回折素子２１による回折角はＨＤ ＤＶＤ／ＢＤ系より大きくなる。このため、ＤＶＤ／ＨＤ ＤＶＤ／ＢＤ共通光検出部２５の受光領域は領域ａ〜ｆ、ｏ１、ｐ２を使用する。
【００２９】
以上が、ＤＶＤ系の信号処理である。
【００３０】
ＣＤ用光源１３から射出されたレーザ光は、倍率変換レンズ２６、ダイクロイックミラー１６を透過し、コリメートレンズ１７によりほぼ平行光となる。さらにレーザ光は、λ／４板１８により直線偏光からおおよそ円偏光に変換され、ＣＤ用立ち上げプリズム１９により反射され、ＣＤ用対物レンズ２２に導かれる。ＣＤ用対物レンズ２２に入射したレーザ光は収束性を与えられ、光ディスクＭの記録面に集光する。さらに、光ディスクＭの記録面からの反射光は、往路と同じ経路をたどり、ＣＤ用ユニット１３内にあるＣＤ用光検出部により受光される。ＣＤ用光検出部は受光した反射光を電気信号へ変換し、信号処理回路１３のサーボ回路がこの電気信号に基づきサーボ信号を生成し（ＤＰＰ法によるトラッキング制御を含む）、信号処理回路のＲＦ信号処理回路がＲＦ信号を生成する。
【００３１】
次に、ＣＤ用対物レンズ２２、ＨＤ ＤＶＤ／ＢＤ／ＤＶＤ用対物レンズ２３について説明する。
【００３２】
例えば、ＨＤ ＤＶＤ、ＤＶＤ、ＣＤ用の異なる波長のレーザ光を集光するための３波長互換対物レンズが提案されているが、ＨＤ ＤＶＤ用のレーザ光の波長とＣＤ用のレーザ光の波長の関係から、ＨＤ ＤＶＤ用とＣＤ用の倍率に大きな差をつける必要がある。これはＣＤ用レーザ光の波長はおよそＨＤ ＤＶＤ用レーザ光の波長の倍となっており、レンズ上の回折格子を利用した対物レンズにおいては、それぞれが同倍率関係にある場合、両波長の回折効率を高くすることが難しく、回折損失が大きくなってしまう。
【００３３】
これに対して、本実施形態の光学ヘッドは、ＣＤ用対物レンズ２２と、ＨＤ ＤＶＤ／ＢＤ／ＤＶＤ用対物レンズ２３とを別々に備えている。これにより、光学的性能及び光利用効率に優れた対物レンズ設計が可能となり、レンズシフト耐性が高く、かつ高倍速記録に対応した光学ヘッドを提供できる。
【００３４】
また、ＣＤ用対物レンズ２２とＨＤ ＤＶＤ／ＢＤ／ＤＶＤ用対物レンズ２３とを搭載したアクチュエータ２４のスキュー調整の際、チルトマージンのより厳しいＨＤ ＤＶＤとＤＶＤにあわせてアクチュエータ２４を最適化することができる。ＣＤはスキューマージンが広いため、ＨＤ ＤＶＤとＤＶＤにあわせて最適化されたアクチュエータ２４で対応できる。若しくは、アクチュエータ２４上でＣＤ用対物レンズ２２を調整するようにしてもよい。
【００３５】
さらに、ＣＤ用対物レンズ２２、ＨＤ ＤＶＤ／ＢＤ／ＤＶＤ用対物レンズ２３の配置について説明する。図５に示すように、レンズホルダ２７が、ＨＤ ＤＶＤ／ＢＤ／ＤＶＤ用対物レンズ２３及びＣＤ用対物レンズ２２を一体的に保持する。光学ヘッド１（レンズホルダ２７）は、光ディスクドライブの所定位置に装填された光ディスクの所定の半径方向に沿って移動可能に構成されている。レンズホルダ２７は、この所定位置に装填された光ディスクのトラック方向に沿ってＨＤ ＤＶＤ／ＢＤ／ＤＶＤ用対物レンズ２３及びＣＤ用対物レンズ２２を一体的に保持し、しかも所定の半径方向に沿った移動軸上に、ＣＤ用対物レンズ２２を保持する。つまり、レンズホルダ２７は、法線ずれのない位置に、ＣＤ用対物レンズ２２を保持する。言い換えれば、レンズホルダ２７は、ＨＤ ＤＶＤ／ＢＤ／ＤＶＤ用対物レンズ２３及びＣＤ用対物レンズ２２をタンジェンシャル方向に並べて保持し、スピンドルモータの中心と光学ヘッドの送り線上にＣＤ用対物レンズ２２を保持する。
【００３６】
これにより、トラッキング方式として実績のあるＤＰＰ法をＣＤ処理に適用することができる。即ち、汎用的なＣＤ処理用の光学系ユニットを使用することができる。また、ＨＤ ＤＶＤ、ＢＤ、及びＤＶＤに対しては、多層ディスク対応が比較的容易なアクチュエータ一体型ＨＯＥを用いた受光系設計が可能となり、ＨＤ ＤＶＤ系の処理とＤＶＤ系の処理で受光素子を共用できるため、コスト削減、小型化に優れる。
【００３７】
また上記したような３波長互換対物レンズとともにアクチュエータ一体型ＨＯＥを適用した場合には、ＣＤの記録／再生時にＨＯＥにより回折された光がＣＤ受光部に迷光として入射してしまう可能性が高くなってしまう。これに対して、本実施形態の光学ヘッドでは迷光の影響を受けることはない。
【００３８】
ここで、図６を参照してＤＰＰ法の問題について簡単に説明する。図６に示すように、ＤＰＰ信号は、グルーブトラックＧとランドトラックＬが交互に設けられた光ディスクに対して、メインビームＭＢ、サブビームＳＢ１、サブビームＳＢ２を照射し、これらビームの反射光成分に基づき得られる信号である。つまり、ＤＰＰ信号は下記式により得られる信号である。
【００３９】
ＤＰＰ＝ＭＰＰ−ｋ（ＳＰＰ１＋ＳＰＰ２）
ＭＰＰ：メインビームＭＢに対応したＰＰ（Push Pull）信号
ＳＰＰ１：サブビームＳＢ１に対応したＰＰ（Push Pull）信号
ＳＰＰ２：サブビームＳＢ２に対応したＰＰ（Push Pull）信号
ｋ：係数
レンズの中心がトラックの法線上からずれてしまうと、メインビームＭＢと、サブビームＳＢ１及びサブビームＳＢ２とのディスク半径方向の距離が対物レンズの半径位置により変化するため、ＳＢ１およびＳＢ２に対応したＰＰ信号の、トラック横切りに対する位相が変化し、演算後のＤＰＰ信号のＰＰ振幅が大きく変化してしまう。これにより、ＤＰＰ信号によるトラッキング制御の精度が低下してしまう。
【００４０】
そこで、本実施形態では、レンズの位置ずれのないＣＤ系の処理にＤＰＰ法を適用するため、スピンドルモータの中心と光学ヘッドの送り線上にＣＤ用対物レンズ２２を保持し、これにより、ＤＰＰ法を適用した場合のトラッキング制御の精度の低下を防止できる。
【００４１】
上記した本実施形態により以下の作用効果が得られる。
【００４２】
（１）３波長ともほぼ無限系かつ光利用効率を高くできるため、レンズシフト耐性があり、かつ高倍速の書き込みに対応することができる。
【００４３】
（２）対物レンズを搭載したアクチュエータのスキュー調整をする際、チルトマージンのより厳しいＨＤ ＤＶＤとＤＶＤについて最適化できる。
【００４４】
（３）ＨＤ ＤＶＤ／ＢＤ／ＤＶＤ用対物レンズに対応したアクチュエータ一体型ＨＯＥを用いた場合、ＨＤ ＤＶＤとＤＶＤの互換が可能となる。同じくＤＡＴＡ−ＰＤＩＣも互換が可能となる。
【００４５】
（４）ＨＤ ＤＶＤ／ＢＤ／ＤＶＤ用対物レンズ２３に対応したアクチュエータ一体型ＨＯＥを用いた場合、ＣＤ処理時にアクチュエータ一体型ＨＯＥにより回折された光がＣＤ受光部に迷光しない。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４７】
【図１】本発明の一実施形態に係る光ディスクドライブの概略構成を示す図である。
【図２】光学ヘッドの概略構成を示す図である。
【図３】回折素子の分割領域の一例を示す図である。
【図４】光検出部の検出領域の一例を示す図である。
【図５】ＣＤ用対物レンズ及びＨＤ ＤＶＤ／ＢＤ／ＤＶＤ用対物レンズの配置を説明するための図である。
【図６】ＤＰＰ法を説明するための図である。
【符号の説明】
【００４８】
１…光学ヘッド、２…プリアンプ、３…信号処理回路、４…制御部、５…ＬＤ駆動回路、６…記録波形発生回路、７…メモリ、１１…ＨＤ ＤＶＤ／ＢＤ用光源、１２…ＤＶＤ用光源、１３…ＣＤ用ホログラムユニット、１４…ダイクロイックプリズム、１５…偏光ビームスプリッタ、１６…ダイクロイックミラー、１７…コリメートレンズ、１８…λ／４板、１９…ＣＤ用立ち上げプリズム、２０…ＨＤ ＤＶＤ／ＢＤ／ＤＶＤ用立ち上げミラー、２１…回折素子、２２…ＣＤ用対物レンズ、２３…ＨＤ ＤＶＤ／ＢＤ／ＤＶＤ用対物レンズ、２４…アクチュエータ、２５…ＤＶＤ／ＨＤ ＤＶＤ／ＢＤ共通光検出部、２６…倍率変換レンズ
【図１】
2009289376.tif 000003
【図２】
2009289376.tif 000004
【図３】
2009289376.tif 000005
【図４】
2009289376.tif 000006
【図５】
2009289376.tif 000007
【図６】
2009289376.tif 000008